(57)【要約】【課題】  フロントカバー保持手段を上ケースにして、別部材を使用すると、コストが高くなり、下ケースで保持すると下ケースの交換作業が莫大になり、また、下ケースは多数の部品が取付けられているので、コストアップになる。【解決手段】  トップカバーをフロントカバー、アクセスカバー及び給紙カバーの側面に対応する位置に固定し、フロントカバーを保持固定する手段をトップカバーに形成せしめる。【選択図】  図１
2007160615.tif 000002
【特許請求の範囲】
【請求項１】
フロントカバー、アクセスカバー及び給紙カバーの３部品の側面に対応する位置するカバーであって、該カバーの側面に複数個の突起を有し、かつ該カバー裏面に形成された爪によって上ケース及び下ケースに固定せしめることを特長とする記録装置。
【請求項２】
前記フロントカバーの回転軸より遠方に突起形状を形成し、かつ該突起から所定の距離だけ離れた位置にリブを形成したことを特長とする請求項１に記載の記録装置。
【請求項３】
アクセスカバー及び給紙カバーに対応する側面に弾性を有する突起形状を形成したことを特長とする請求項１に記載の記録装置。
【発明の詳細な説明】
【技術分野】
【０００１】
本発明は、プリンタ、複写機、ワープロ、パーソナルコンピュータ、ファクシミリ等の記録装置に関し、更には、種種の記録媒体に対応可能は記録装置に関するものである。
【背景技術】
【０００２】
従来、プリンタ等の記録装置は図９に示すように上ケース１２と、下ケース１３と、アクセスカバー１４とフロントカバー１５と、サイドカバーL１６及びサイドカバーＲ１７と第１排紙トレイ１８、第２排紙トレイ１９及び第３排紙トレイ２０の３つのトレイより構成されるスライド式排紙トレイユニット（以下、排紙トレイと呼ぶ場合もある）から構成された。
【０００３】
フロントカバー１５の左右には回転軸（不図示）が設けられており、下ケース１３の軸受け部（不図示）に回転自在にかん合していた。フロントカバー１５を開動し記録装置本体（以下本体と呼ぶ場合もある）前面に開口部を形成し、内部より排紙トレイをそれぞれ引き出す。これにより、プリンタ２３より排出された記録媒体は順次排紙トレイ上に積載されていく。
【０００４】
記録装置を使用しないときはフロントカバー１５を開動せしめ、本体の所定の位置で保持せしめる。このとき、フロントカバー１５を保持する手段として以下の方法があった。
【０００５】
（１）上ケース１２にラッチ（不図示）等の別部品を取り付け、フロントカバー１５の所定の位置に係合せしめるようにしていた。
【０００６】
（２）下ケース１３に突起形状１３ａを形成し、その背後より板ばね２１で付勢することにより、フロントカバー１５の側面に設けられた座繰り部（不図示）に係合せしめるようにしていた。
【０００７】
従来例としては、例えば特許文献１をあげることが出来る。
【特許文献１】特開２００４−３５２４８号公報
【発明の開示】
【発明が解決しようとする課題】
【０００８】
上記従来例によれば、以下の欠点があった。
【０００９】
（１）別部材を使用すると、コストが高くなる。
【００１０】
（２）下ケース１３に突起形状１３ａを形成し、板ばね２１で該突起形状１３ａを付勢する手段をとった場合、スペース的に回転軸（不図示）から突起形状１３ａまでの距離が長く取れない。すなわち、フロントカバー１５の回転軸と近いところで上記突起形状１３ａと係合しなければならい。この場合、フロントカバー１５を保持した際、上ケース１２あるいはアクセスカバー１４との合わせ目（隙間）が大きくなり、外観上好ましくなかった（ガタが大きくなる）。
【００１１】
また、上記突起形状１３ａが破損した場合下ケース１３を交換しなければならないが、下ケース１３にはプリンタ２３等多数の部品が取り付けられているので、それらの部品を取り外さなければならないし、さらに、元のとおりに組み立てなければならない。すなわち、下ケース１３を交換する作業が莫大な手間となる。
【００１２】
下ケース１３は上述したように、プリンタ２３をはじめとし、多数の部品が取り付けられているため、その形状は複雑となっており、部品単価も高価なものとなっている。したがって、下ケース１３を交換することは、コストアップにつながることはいうまでもない。
【課題を解決するための手段】
【００１３】
上記課題を解決するために、本発明においては、トップカバーをフロントカバー、アクセスカバー及び給紙カバーの側面に対応する位置に固定し、フロントカバーを保持固定する手段をトップカバーに形成せしめた。
【発明の効果】
【００１４】
上記構成によれば、フロントカバー１５の回転軸から遠い位置で保持固定する手段であるので、別部品を使用することなくフロントカバー１５を所定の位置に精度よく保持固定することができる。また、他部品との合わせ目が目標とおりに確保できるので、外観的にも好適となる。
【発明を実施するための最良の形態】
【００１５】
（実施例１）
本発明における記録装置の第１の実施形態について説明する。
【００１６】
図１は本実施形態に係る記録装置の斜視図である。
【００１７】
本実施例の記録装置においては、記録がなされて排出される記録媒体を保持する排紙トレイ（不図示）を格納するフロントカバー３と、上ケース４、下ケース５と、アクセスカバー６と、給紙トレイ７（以下給紙カバーと呼ぶ場合もある）と、オペレータが印刷するため各種モードを選択するために設けられた操作パネルユニット８と、操作パネルユニットと類似した形状を呈するトップカバー１と、デジタルカメラ（以下デジカメと呼ぶ場合もある）等からの信号を受け取り、パーソナルコンピュータ等を介さず記録装置により直接印字するために、デジタルカメラと記録装置をケーブルで接続するためのピクトブリッジコネクタ９と、携帯電話からの信号を受け取るための赤外線受光部１０（以下IRDAと呼ぶ場合もある）を覆うためのRカバー１１より構成される。また、上ケース４と、下ケース５と、アクセスカバー６と、これら外装部材内にプリンタユニット（不図示）が収納される。
【００１８】
図２及び図３は本発明を実施したトップカバー１の斜視図である。
【００１９】
トップカバー１の前面下部には、下ケース５と係合するための爪１ｃ、１ｄが形成される。前側面には後述するフロントカバーを保持固定するための突起１ａ及びリブ１ｂが形成される。また、端面には上ケースとの位置決めしながら係合するための突起１ｊ及１ｋが個形成される。
【００２０】
一方、両側面には上ケース４の所定の位置に係合するための爪１ｅ〜１ｆ及び１ｉが形成され、後部には上ケース４よりトップカバー１を取り付け、取り外すための爪１ｇ及び１ｈが形成される。
【００２１】
図４は、トップカバーを外したところを示す斜視図である。
【００２２】
ところで、図５に示すように、フロントカバー３の下部には回転軸３ｃが形成され、下ケース４に形成された軸受け部４ｃに、該回転軸３ｃが回転自在にかん合され保持される（図６参照）。また、フロントカバー３の側面には、トップカバーの突起１ａと係合するための凹座３ａが形成される（図５参照）。
【００２３】
トップカバー１の前面の爪１ｃ及び１ｄを下ケース５の所定の位置５ａ及び５ｂに係合せしめ、上ケースに４近づけるように回転せしめると、トップカバーに形成されて爪１ｅ及び１ｆが順次上ケース４に形成された爪４ａ及び４ｂに係合される。
【００２４】
トップカバー１が所定の位置で固定されると、フロントカバー３を閉じたとき、側面に形成された凹座３ａとトップカバーの突起１ａが係合することができる。フロントカバー３を押し過ぎた場合でも、突起１ａの背後にリブ１ｂが形成してあるので、フロントカバー３の端面を規制することができ、必要以上にフロントカバー３が回転するのを防止することができる。
【００２５】
前述したように、フロントカバー３の回転軸３ｃより遠い位置で保持するのでアクセスカバー６とフロントカバー３の合わせ目は所定の幅で均一となる。
【００２６】
また、図７に示すように、上ケース４の左側面及び背面には、溝４ｆ及び４ｇあるいは角穴４ｈ及び４ｉが形成してあるので、例えばマイナスドライバー等の取り外し工具を、前記溝４ｆ及び４ｇあるいは角穴４ｈ及び４ｉに挿入し、上ケース４に形成された爪４ａ〜４ｄやトップカバーに形成された爪１ｇ及び１ｈを撓ますことによって、トップカバー１を上ケース４より取り外すことができる。
【００２７】
（実施例２）
上記実施例においては、トップカバー１にフロントカバー３を係合せしめる突起１ａを形成した。
【００２８】
図８は第２の実施形態であるところの、トップカバー２の斜視図である。
【００２９】
図８に示すように、弾性変形可能な突起２ｂ及び２ｃを複数個形成し、アクセスカバー６及び給紙カバー７において、前記突起２ｂ及び２ｃに対応する位置に凹座（不図示）を形成せしめることにより、フロントカバー３だけではなく、アクセスカバー６あるいは給紙カバー７も同様に保持固定することができる。更には、前記トップカバー２に形成せしめた複数個の突起２ｂ及び２ｃは、アクセスカバー６及び給紙カバー７それぞれの回転軸（不図示）から遠くに設置できるので、フロントカバー３同様に、ガタが少なく保持することが可能である。
【００３０】
上記構成によれば、フロントカバー、アクセスカバー及び給紙カバーに対応する位置にトップカバーを取り付けることにより、上記各部品の回転軸より遠方の位置に上記部品の側面に係合するための突起を形成することができるので、フロントカバー、アクセスカバー及び給紙カバーにガタを生じさせないように、記録装置本体に保持固定することが可能となる。
【図面の簡単な説明】
【００３１】
【図１】本発明を実施した記録装置の斜視図。
【図２】トップカバーの斜視図（裏面側）。
【図３】トップカバーの斜視図（表面側）。
【図４】本発明を実施した記録装置であって、トップカバーを外したところを示す斜視図。
【図５】フロントカバーの斜視図。
【図６】本発明を実施した記録装置であって、フロントカバーの回転軸がかん合するところの下ケースを示す図。
【図７】本発明を実施した記録装置の背面斜視図。
【図８】トップカバーの第２実施例における斜視図。
【図９】従来の記録装置の斜視図。
【符号の説明】
【００３２】
１  トップカバー
２  トップカバー（第２実施例）
３  フロントカバー
４  上ケース
５  下ケース
６  アクセスカバー
７  給紙カバー
８  操作パネルユニット
９  ピクトブリッジコネクタ
10  IRDA
11  Rカバー
12  上ケース（従来例）
13  下ケース（従来例）
14  アクセスカバー（従来例）
15  フロントカバー（従来例）
16  サイドカバーＬ
17  サイドカバーＲ
18  第１排紙トレイ
19  第２排紙トレイ
20  第３排紙トレイ
21  板ばね
22  給紙カバー（従来例）
23  プリンタ
【図１】
2007160615.tif 000003
【図２】
2007160615.tif 000004
【図３】
2007160615.tif 000005
【図４】
2007160615.tif 000006
【図５】
2007160615.tif 000007
【図６】
2007160615.tif 000008
【図７】
2007160615.tif 000009
【図８】
2007160615.tif 000010
【図９】
2007160615.tif 000011